(57)【要約】【課題】  トナー像を加熱・定着して排出された記録媒体から発生する気化物質の装置外へ発散する量を低減しつつ、消費電力、騒音を低減する。【解決手段】  記録媒体Ｐに転写されたトナー像を定着手段４により加熱定着して排出部７に排出する画像形成装置１が、排出部近傍のエアーを吸引する吸引手段８と、吸引手段の駆動を制御する制御手段２７，１０４とを有する。制御手段は、トナー像が定着された記録媒体から発生する気化物質の発生状態に応じて吸引手段の駆動を制御する。【選択図】  図４
2017138441.tif 000002
【特許請求の範囲】
【請求項１】
画像形成された記録媒体を排出する排出部のエアーを吸引する吸引手段と、
画像形成された記録媒体から発生する気化物質の発生状態に応じて前記吸引手段の動作を制御する制御手段と、を有することを特徴とする画像形成装置。
【請求項２】
前記制御手段は、前記気化物質の発生量が閾値未満と判定したときは前記閾値以上の場合よりも前記吸引手段の吸引力を低く設定することを特徴とする請求項１記載の画像形成装置。
【請求項３】
前記閾値は、段階的に複数設定されていることを特徴とする請求項２に記載の画像形成装置。
【請求項４】
前記制御手段は、画像形成枚数により前記気化物質の発生状態を判定することを特徴とする請求項１乃至請求項３のいずれか１項に記載の画像形成装置。
【請求項５】
前記制御手段は、画像形成に使用されるトナー量により前記気化物質の発生状態を判定することを特徴とする請求項１乃至請求項３のいずれか１項に記載の画像形成装置。
【請求項６】
前記トナー量は、画像を形成するための画像情報に基づいて算出することを特徴とする請求項５記載の画像形成装置。
【請求項７】
前記排出部は、排出された記録媒体を載置する排出トレイの上方に天面を有する胴内排出部であって、前記吸引手段は、前記天面から前記排出トレイまでの中央より上方に配置されていることを特徴とする請求項１乃至請求項６のいずれか１項に記載の画像形成装置。
【発明の詳細な説明】
【技術分野】
【０００１】
本発明は、記録媒体に形成されたトナー像を加熱して該トナー像を記録媒体に定着する画像形成装置に関する。
【背景技術】
【０００２】
従来から、記録媒体であるシートにトナー像を形成する複写機、ファクシミリ、プリンタ等の画像形成装置は、トナー像をシートと共に加熱してシートに形成されたトナー像をシートに定着した後、積載手段としての排出トレイに排出するようになっている。この場合、トナー像をシートと共に加熱すると、トナーに含まれる樹脂成分やシートの表面コート層の化学物質から、気化物質としての揮発性有機化合物（ＶＯＣ：Ｖｏｌａｔｉｌｅ  Ｏｒｇａｎｉｃ  Ｃｏｍｐｏｕｎｄ）が発生することが知られている。この気化物質は臭いを発するため、そのまま画像形成装置の機外へ拡散させることは、画像形成装置の製品品位の観点からは好ましいものではない。
【０００３】
このような課題に対して、特許文献１には、排出トレイに排出されたシート周辺のエアーを機内へ吸引して浄化処理して機外へ排出することで、機外に放出される気化物質の量を低減させる画像形成装置が記載されている。
【先行技術文献】
【特許文献】
【０００４】
【特許文献１】特開２００７−２３２９４９号公報
【発明の概要】
【発明が解決しようとする課題】
【０００５】
しかしながら、特許文献１に記載された画像形成装置は、気化物質の発生量の多少に関わらず、一定の電力でファンを駆動して気化物質を吸引している。そのため、近年の環境に対する製品品位の向上を図るための低騒音化、省エネルギー化といった要望に沿っているとは言い難い。
【０００６】
本発明は、画像形成により発生する気化物質を効率良く低減した画像形成装置を提供することを目的とする。
【課題を解決するための手段】
【０００７】
上述の目的を達成するために、本発明は、画像形成された記録媒体を排出する排出部のエアーを吸引する吸引手段と、画像形成された記録媒体から発生する気化物質の発生状態に応じて前記吸引手段の動作を制御する制御手段とを有することを特徴とする。
【発明の効果】
【０００８】
本発明によれば、画像形成により発生する気化物質を効率良く低減できる。
【図面の簡単な説明】
【０００９】
【図１】本発明の実施形態に係る画像形成装置のシート搬送方向に沿った断面図である。
【図２】排出トレイとその近傍の上面斜視図である。
【図３】画像形成装置の制御ブロック図である。
【図４】吸気ファンの動作を説明するフロー図である。
【図５】第２実施形態に係る画像形成装置の制御ブロック図である。
【図６】第２実施形態の吸気ファンの動作を説明するフロー図である。
【発明を実施するための形態】
【００１０】
〔第１実施形態〕
以下、本発明の実施形態について、図面を用いて詳細に説明する。
【００１１】
（画像形成装置の構成）
図１は、本発明の実施形態に係る画像形成装置１のシート搬送方向に沿った断面図である。
【００１２】
この画像形成装置１は、複写機、ファクシミリ、プリンタ等の画像出力装置として用いられるものである。
【００１３】
画像形成装置１は、装置本体１Ａの下部に記録媒体であるシートＰを収納したカセット２を備えている。ピックアップローラ２３は、シートＰをカセット２から給送する。搬送ローラ対１０はカセット２から給送されたシートＰの先端を、回転を停止しているレジストローラ対２４に当接させてシートＰを撓ませることで、斜行しているシートＰの先端を搬送方向に対して直交するように矯正する。
【００１４】
一方、画像読取装置６は、不図示の原稿を読み取って、画像情報をレーザユニット１２に送信する。レーザユニット１２は、その画像情報に基づいて、画像形成部３の感光ドラム１１にレーザ光Ｌを照射する。感光ドラム１１は、帯電器２５によって帯電されており、レーザ光Ｌによって潜像を形成される。潜像は、現像器１３によってトナー現像され、感光ドラム１１に形成されたトナー像として可視像化される。
【００１５】
レジストローラ対２４は、感光ドラム１１に形成されたトナー像の位置に合わせてシートＰを感光ドラム１１と転写器１４との間に送り込む。転写器１４は、感光ドラム１１と共に回転することで、感光ドラム１１に形成されたトナー像をシートＰに転写し、シートＰを定着器４に送り込む。定着器４は、加熱ローラ１５と加圧ローラ１６とで、シートＰと共にトナー像を加熱加圧して、シートＰに転写されたトナー像を定着する。
【００１６】
センサ２６がシートＰを検知すると、排出ローラ対５の排出ローラ１７と排出コロ１８とが回転して、シートＰを排出部としての排出トレイ７に排出して載置する。すなわち、排出手段としての排出ローラ対５は、トナー像が加熱定着したシートＰを、排出トレイ７に排出して載置・積載させる。センサ２０は、シートによって回転させられるフラグ１９の回転によって、シートＰが排出トレイ７に排出されたことを検知する。排出トレイ７は、装置本体１Ａに形成された胴内空間２２の下部に配置された胴内排出部である。
【００１７】
また、胴内空間２２を形成する背面壁２２ａには、吸引手段としての吸気ファン８が設けられた通風口２１が形成されている。吸気ファン８は、シートＰが引っ掛からないように背面壁２２ａから突出することなく、背面壁２２ａの後方に突出して設けられている。
【００１８】
（排出トレイとその近傍の構成）
図２は、排出トレイ７とその近傍の上面斜視図である。
【００１９】
排出トレイ７が設けられている胴内空間２２は、図１において、排出トレイ７の一方側となる後側の背面壁２２ａと、左側の側面壁２２ｂと、右側の壁面７ｄと、排出トレイ７の上方で対面する天面２２ｃとで囲まれている。排出トレイ７の手前側は、シートＰをユーザが掴み出すために機外に開放した構造、若しくは開閉可能な壁面が設けられた構造となっている。壁面７ｄは、排出ローラ対５のシート排出方向（シート搬送方向）Ｃに対して直交し、胴内空間２２の手前側且つ排出ローラ対５の側方にあり、側面壁２２ｂと対面して排出トレイ７から上方へ延在して設けられている。シートＰは、壁面７ｄと背面壁２２ａとの間を通って、排出ローラ対５から排出トレイ７へ排出される。
【００２０】
排出トレイ７の上面７ｅには、排出トレイ７に排出されたシートＰをユーザが掴んで取出し易くするため、切込み部７ａと凹部７ｂとが形成されている。また、排出トレイ７の上面７ｅの排出ローラ対５に近い部分は、排出ローラ対５に近づくにしたがって、下方に傾斜した傾斜部７ｃとなっている。このため、排出トレイ７に排出されたシートは、自重によって、排出ローラ対５側に滑降して排出ローラ対５の下側の壁面７ｄに受け止められて、後端を整合されるようになっている。
【００２１】
（気化物質を機外へ排出する構成）
吸気ファン８は、排出ローラ対５の近傍の胴内空間２２であって、シート排出方向Ｃの上流側の背面壁２２ａに、排出ローラ対５によるシート排出方向Ｃに対して交差する方向（シートＰの幅方向）で、かつ排出トレイ７の上面７ｅに沿った方向に向いて設けられている。このため、吸気ファン８は、画像形成装置１の手前から後側に、排出トレイ７上のエアーを吸引するように配置されている。すなわち、吸引手段としての吸気ファン８は、排出トレイ７に排出されるシートＰに関してその一方の側端の側（本実施形態ではシート排出方向Ｃに向いて右側）に配置されている。そして、吸気ファン８は、排出トレイ７に排出されたシートＰの上方近傍に漂っている気化物質をシートＰの幅方向に吸引する構成となっている（図２の吸気流Ｂの矢印を参照）。このように、吸気ファン８は排出トレイ７と天面２２ｃ間の中央より上方に配置されて近傍の気化物質を含むエアーを吸引できる構成となっている。
【００２２】
気化物質としては、揮発性有機化合物（ＶＯＣ：Ｖｏｌａｔｉｌｅ  Ｏｒｇａｎｉｃ  Ｃｏｍｐｏｕｎｄ）があり、定着器４がシートＰに形成されたトナー像をシートＰと共に加熱定着すると、トナーやシートから発生する気体である。この気化物質は、トナーに含まれる樹脂成分やシートＰの表面コート層の化学物質から発生する、臭気を有する気体である。
【００２３】
吸気ファン８の背後には、装置本体１Ａの外部に通じる不図示のダクトが設けられている。ダクト内には、さらに、吸気ファン８が吸引した気化物質を画像形成装置１の機外へ拡散させないための不図示のフィルタが設けられている。
【００２４】
気化物質は、定着器４がシートＰとそのシートＰに形成されているトナー像とを加熱加圧することで発生し、定着器４からシートＰと共に流出し、さらに、排出ローラ対５から排出トレイ７へシートＰと共に流出する。したがって、吸気ファン８は、定着器４から流出する気化物質と、排出トレイ７に排出されたシートＰ上に漂っている気化物質とをシートＰの幅方向に吸引することができる。そのため、シートＰから発生した気化物質の臭いが、画像形成装置の装置本体１Ａから外部に漏れることを防止できる。
【００２５】
また、吸気ファン８は、胴内空間２２内の気化物質を含むエアーも吸引するため、熱を帯びて排出トレイ７に排出されたシートＰによる胴内空間２２の温度上昇を抑制して、トナー像の再溶融を抑えることができる。これによって、トナーによって、シートＰ同士が付着することを抑え、トナー像の損傷を抑止することもできる。
【００２６】
以上の説明において、吸気ファン８の吸引面の向きは、気化物質がシートＰと共に排出ローラ対５近傍からも流出するので、排出ローラ対５がある方向を向いていてもよい。この場合においても、本実施形態の構成においては、吸気ファン８は、排出トレイ７の上方近傍にある気化物質を、シートＰの幅方向に吸引することができる。
【００２７】
（画像形成装置の各制御部の相互関係）
次に、本実施形態の画像形成装置１の各制御部の相互関係を説明する。
【００２８】
図３は、画像形成装置１の制御ブロック図である。
【００２９】
ＣＰＵ２７は、画像形成装置１の基本制御を行うための情報処理回路である。ＣＰＵ２７には、制御プログラムが書き込まれたＲＯＭ２８と、画像形成装置の画像形成処理中の情報を一時的に記憶するＲＡＭ２９と、ユーザが画像形成装置に画像記録情報を入力する操作部３０とが接続されている。ＲＡＭ２９の一部の領域は、電源が切られてもデータが消去されないバックアップ機能を有している。
【００３０】
また、ＣＰＵ２７には、入出力ポート３１を介して、画像処理部１０１、露光制御部１０２、高圧制御部１０３等も接続されている。画像処理部１０１は、画像読取装置６が読み取った画像情報を処理するようになっている。露光制御部１０２は、レーザユニット１２が画像処理部１０１からの画像情報に基づいて画像形成部３の感光ドラム１１にレーザ光Ｌを照射できるように、レーザユニット１２を制御するようになっている。高圧制御部１０３は、帯電器２５が感光ドラム１１を帯電させる電圧を制御するようになっている。さらに、ＣＰＵ２７には、Ｉ／Ｏ制御部１０４を介して、センサ２０，２６及び吸気ファン８も接続されている。
【００３１】
ＣＰＵ２７は、ＲＯＭ２８の制御プログラムと、入出力ポート３１を介してのセンサ２０，２６のシート検知情報等に基づいて、順次、各部の制御を行い、画像形成処理を実行する。
【００３２】
また、ＣＰＵ２７には、気化物質量判定部３２が接続されている。この気化物質量判定部３２は、シートＰから発生する気化物質量が所定の閾値以上か否かを判定する判定手段であり、本実施形態では、ユーザが操作部３０に入力した画像形成枚数（画像形成要求枚数）のシートＰからの気化物質の発生量を判定している。
【００３３】
操作部３０は、ユーザが画像形成装置１を操作するための種々の操作指示入力部が設けられているほか、画像形成装置１の各部の動作状態を表示する。
【００３４】
（画像形成装置の全体動作と吸気ファンの動作との関係）
次に、画像形成装置１の全体動作と吸気ファン８の動作との関係を説明する。
【００３５】
図４は、吸気ファン８の動作を説明するフロー図であり、この図を用いて画像形成装置１の全体動作との関係を説明する。
【００３６】
画像形成装置１の電源をＯＮにすると、ＣＰＵ２７は、画像形成装置１全体を初期化動作させる。画像読取装置６は、原稿の画像情報を読み取り画像形成装置１の不図示の記憶部に画像情報を転送する。
【００３７】
ＣＰＵ２７は、画像情報の転送が完了して、画像形成装置１の印刷準備も完了した信号を受けると、吸気ファン８を始動させる。このとき、吸気ファン８は、Ｉ／Ｏ制御部１０４による制御を受け、定格出力の半分の出力で駆動する（Ｓ１０１）。
【００３８】
次に、カセット２にセットされたシートＰが、ピックアップローラ２３、搬送ローラ対１０、レジストローラ対２４によって、画像形成部３まで搬送される。この間に、露光制御部１０２が画像読取装置から転送されてきた画像情報に応じてレーザユニット１２を制御して、レーザユニット１２に、感光ドラム１１にレーザを照射させる動作をさせる。このとき、感光ドラム１１は、高圧制御部１０３の制御によって作動する帯電器２５によって、既に帯電されている。
【００３９】
感光ドラム１１の静電潜像は、現像器１３によりトナー現像されてトナー像となる。感光ドラム１１と転写器１４は、カセット２から搬送されてきたシートＰにトナー像を転写する。トナー像は、定着器４による加熱加圧を受けてシートＰに定着される（Ｓ１０２）。
【００４０】
次に、定着器４の下流のセンサ２６によりシートＰが検知されると、気化物質量判定部３２は、検知された印刷枚数が閾値である５０枚以上か否かを判定する（Ｓ１０３）。そして、印刷枚数が５０枚以上であるときは（Ｓ１０３のＹｅｓ）、気化物質量判定部３２からの判定結果を受けて、ＣＰＵ２７は、Ｉ／Ｏ制御部１０４に吸気ファン８を定格出力で駆動（吸気ファン全速駆動）させるように制御させる（Ｓ１０４）。また、印刷枚数が５０枚以上でないとき、つまり４９枚以下のときは（Ｓ１０３のＮｏ）、気化物質量判定部３２からの判定結果を受けて、ＣＰＵ２７は、Ｉ／Ｏ制御部１０４に吸気ファン８を定格出力の半分の出力で駆動（吸気ファン半速駆動）させるように制御させる（Ｓ１０５）。
【００４１】
このように、実際に印刷されたシートＰの枚数に基づいて気化物質量判定部３２によって判定される気化物質の量が判定の閾値以上か或いは閾値未満かの判定結果は、ＣＰＵ２７へ送られて上述したようなＣＰＵ２７による吸気ファン８の駆動出力の制御に用いられる。なお、上述の所定量の判定基準となる印刷枚数の５０枚は、シートＰの種類（シートＰの表面コート層の相違による発生気化物質の量の差）によって、気化物質量判定部３２に適宜適切な枚数を入力し直すことで変更することができる。
【００４２】
次に、ＣＰＵ２７は、センサ２６が検知したシートＰの枚数が、ユーザが操作部３０の入力により要求した印刷枚数に達したか否か、つまり、ユーザの要求印刷枚数の印刷が終了したか否かを判定する。そして、印刷された枚数がユーザの要求印刷枚数でないときは（Ｓ１０６のＮｏ）、Ｓ１０２に戻って印刷を続行する。
【００４３】
また、印刷された枚数がユーザの要求印刷枚数に達したときは（Ｓ１０６のＹｅｓ）、ＣＰＵ２７は画像形成部３や定着器４等の画像形成動作を終了させ、所定時間の経過を待って（Ｓ１０７）、その後、吸気ファン８を停止させ（Ｓ１０８）、終了となる。ここで、所定時間の経過を待って吸気ファン８を停止するのは、胴内空間２２の気化物質や定着器４等が配された装置本体１Ａ内の気化物質が、吸気ファン８の吸引により除去されるのを待つものである。
【００４４】
このように、本実施形態では、ユーザの要求印刷枚数が例えば５０枚以上でない場合には、常に吸気ファン８は半分の駆動力で駆動される。また、ユーザの要求印刷枚数が例えば５０枚以上の場合には、４９枚までは吸気ファン８は定格の半分の駆動力で駆動され、５０枚以上になってから吸気ファン８は定格で駆動される。
【００４５】
以上のように、本実施形態の画像形成装置１は、気化物質の発生量に応じて、吸気ファン８の出力を抑えることで、定着処理したシートＰから発生する気化物質の拡散を低減しつつ、消費電力と騒音の低減ができる。
【００４６】
〔第２実施形態〕
次に、本発明に係る第２実施形態について説明する。なお、以下の説明においては、第１実施形態と異なる構成について説明し、同一の構成についてはその説明を省略する。
【００４７】
（画像形成装置の各制御部の相互関係）
次に、本実施形態の画像形成装置１の各制御部の相互関係を説明する。
【００４８】
図５は、第２実施形態に係る画像形成装置１の制御ブロック図である。
【００４９】
ＣＰＵ２７は、送信されてきた画像の形成に使用されるトナー量を算出するトナー量算出部３３が接続されている。トナー量算出部３３は、画像形成装置１の不図示の記憶部に転送されてきたトナー像を形成するための画像情報からシートＰに対する画像形成に必要なドット数と、１ドット当たりのトナー使用量とから、シートＰの画像形成に使用するトナー量を算出する。そして、実際に画像形成されて定着処理されたシートＰのセンサ２６による検知毎に、画像形成されたシートＰに使用されたトナー量を加算していく。そして、使用されたトナー量が予め設定した閾値を超えると、吸気ファン８の駆動出力をそれまでよりも高くするものである。
【００５０】
（画像形成装置の全体動作と吸気ファンの動作との関係）
次に、第２実施形態の画像形成装置１の全体動作と吸気ファン８の動作との関係を説明する。
【００５１】
図６は、吸気ファン８の動作を説明するフロー図であり、この図を用いて画像形成装置１の全体動作との関係を説明する。Ｓ２０３〜Ｓ２０５を除く他の各ステップは、第１実施形態の夫々対応するステップと同じ制御内容なので、ここでの説明は省略する。
【００５２】
定着器４の下流のセンサ２６によりシートＰが検知される毎に、トナー量算出部３３は、画像形成されたシートＰに使用されたトナー量を画像情報から算出し、そのトナー量を累積加算していく。そして、気化物質量判定部３２は、トナー量算出部３３から送られたトナー使用量が所定の閾値値以上になったか否かを判定する（Ｓ２０３）。なお、本実施形態では、判定の基準となる閾値として２ｇを用いている。
【００５３】
気化物質量判定部３２は、トナー使用量が２ｇ以上になったときは（Ｓ２０３のＹｅｓ）、発生する気化物質が多いと判定してこの判定結果をＣＰＵ２７へ送る。ＣＰＵ２７は、Ｉ／Ｏ制御部１０４に吸気ファン８を定格出力で駆動（吸気ファン全速駆動）させるように制御させる（Ｓ２０４）。また、トナー使用量が２ｇ未満のときは（Ｓ２０３のＮｏ）、気化物質量判定部３２から判定結果を受けて、ＣＰＵ２７は、Ｉ／Ｏ制御部１０４に吸気ファン８を定格出力の半分の出力のままで駆動（吸気ファン半速駆動）させるように制御させる（Ｓ２０５）。
【００５４】
以上のように、本実施形態の画像形成装置１は、画像形成に要するトナー量から気化物質の発生量の多い／少ないを判定し、気化物質の発生量が閾値以上のときには吸気ファン８の出力を抑えることで、定着処理したシートＰから発生する気化物質の拡散を低減しつつ、消費電力と騒音の低減ができる。
【００５５】
なお、本実施形態では、画像形成が行われるシート毎に使用されるトナー量を累積加算し、その累積値が閾値を超えたか否かにより吸気ファン８の駆動を制御するようにした。しかし、例えば同一画像を複数枚印刷するときなどは、画像形成にあたってシート１枚あたりに使用されるトナー量は略一定である。そこで、そのような場合はシート１枚あたりのトナー使用量を画像情報から算出し、その値とユーザによって操作部３０から入力された画像形成枚数との乗算から画像形成に必要なトナー量を算出する。
【００５６】
そして、前記全体のトナー算出量が予め設定した閾値（例えば２ｇ）を超えるか否かを判別し、超えていない場合は吸気ファン８を定格出力の半分の出力で駆動し、超えている場合は定格出力で駆動するようにしてもよい。
【００５７】
〔第３実施形態〕
次に、本発明に係る第３実施形態について説明する。なお、以下の説明においては、前述した実施形態とは異なる構成について説明し、同一の構成についてはその説明を省略する。
【００５８】
上述の第１実施形態では、吸気ファン８の駆動力を全速と半速に切り替えるときの印刷枚数の閾値は５０枚の１つのみであった。また、第２実施形態では、吸気ファン８の駆動切替えのトナー使用量の閾値は２ｇの１つのみであった。
【００５９】
本実施形態では、それらの閾値を段階的に複数設定している。そして、小さい閾値から大きい閾値へ段階的に値が大きくなっていくに従って、吸気ファン８を駆動する定格出力も対応して段階的に大きくしていく構成としている。
【００６０】
本実施形態によると、選択できる吸気ファン８の駆動力が第１実施形態〜第３実施形態の全速か半速かの２つから、３つ以上に増やしている。これにより、気化物資の発生量の増大に対応した適切な吸気ファン８の駆動力をより細かく変えることができるように選択することができ、発生する気化物質の拡散を低減しつつ、より一層の消費電力と騒音の低減ができる。
【符号の説明】
【００６１】
１・・・画像形成装置
１Ａ・・・装置本体
２・・・カセット
３・・・画像形成部
４・・・定着部
５・・・排出ローラ対
６・・・画像読取装置
７・・・排出トレイ
７ａ・・・切込み部
７ｂ・・・凹部
７ｃ・・・傾斜部
７ｄ・・・壁面
７ｅ・・・上面
８・・・吸気ファン
１０・・・搬送ローラ対
１１・・・感光ドラム
１２・・・レーザユニット
１３・・・現像器
１４・・・転写器
１５・・・加熱ローラ
１６・・・加圧ローラ
１７・・・排出ローラ
１８・・・排出コロ
１９・・・フラグ
２０・・・センサ
２１・・・通風口
２２・・・胴内空間
２２ａ・・・背面壁
２２ｂ・・・側面壁
２２ｃ・・・天面
２３・・・ピックアップローラ
２４・・・レジストローラ対
２５・・・帯電器
２６・・・センサ
２７・・・ＣＰＵ
２８・・・ＲＯＭ
２９・・・ＲＡＭ
３０・・・操作部
３１・・・入出力ポート
３２・・・気化物質量判定部
３３・・・トナー量算出部
１０１・・・画像処理部
１０２・・・露出制御部
１０３・・・高圧制御部
１０４・・・各種Ｉ／Ｏ制御部
Ｂ・・・吸気流
Ｃ・・・シート排出方向
【図１】
2017138441.tif 000003
【図２】
2017138441.tif 000004
【図３】
2017138441.tif 000005
【図４】
2017138441.tif 000006
【図５】
2017138441.tif 000007
【図６】
2017138441.tif 000008